(57)【特許請求の範囲】
【請求項１】
便器部と、
前記便器部の後部に固定される機能部と、
前記機能部を、前記便器部の上面に対して前記便器部の後方に向って離間するように傾斜させた仮置きの状態で支持する仮置き支持部と、を備える便器装置。
【請求項２】
前記仮置き支持部は、前記便器部に設けられた便器部側支持部と、前記機能部に設けられた機能部側支持部と、を有し、
前記便器部側支持部の上端部と、前記機能部側支持部の下端部と、が当接した状態で前記仮置き支持部は、前記便器部に対して前記機能部を支持する請求項１に記載の便器装置。
【請求項３】
便器部と機能部とが別体で構成され、前記便器部に前記機能部が固定されて便器装置が組み立てられ施工される便器装置の施工方法であって、
仮置き支持部によって、前記便器部の上面に対して前記便器部の後方に向って離間するように傾斜させた仮置きの状態で前記機能部を支持させる仮置き支持工程と、
前記便器部の上面に対して前記便器部の後方に向って前記機能部を離間するように傾斜させた仮置きの状態で、前記便器部から延出する線状部材を、前記機能部に接続する線状部材接続工程と、
前記機能部を前記便器部に対する所定の位置へ移動させて配置させ、前記便器部に前記機能部を固定する固定工程と、を有する便器装置の施工方法。
【発明の詳細な説明】
【技術分野】
【０００１】
本発明は、便器装置及び便器装置の施工方法に関する。
【背景技術】
【０００２】
従来、便器装置は、便器部と、上水道から便器部へ洗浄水を供給するための給水管と、給水管を通して洗浄水を便器部へ供給するための駆動部等を収容する機能部と、を有している。便器装置において、線状部材の一端部、具体的には、給水管の一端部は、機能部の一部に接続され、給水管は便器部を通され、給水管の他端部は、上水道に接続された止水栓に接続されている（例えば、特許文献１参照）。
【先行技術文献】
【特許文献】
【０００３】
【特許文献１】特開２００３−２７８２２６号公報
【発明の概要】
【発明が解決しようとする課題】
【０００４】
従来の便器装置が家屋に設置される際には、あらかじめ組立工場で便器装置が組み立てられた後に、設置される家屋の現場へ搬送される。この組み立ての工程では、便器部に対する所定の固定位置に機能部を位置合わせした状態で、給水管が便器部側から機能部側へ接続される。
【０００５】
しかし、このように、便器部に対する所定の固定位置に機能部を位置合わせした状態で、給水管の接続を行うためには、予め給水管を機能部に接続しておいた状態で、機能部を便器部へ固定する必要がある。また、予め給水管を機能部に接続しておいた状態で、機能部を便器部へ固定しない場合には、便器部に対する所定の固定位置に機能部を位置合わせした後に、作業者が便器部側から手を挿入して、給水管の接続を行うことができるように、給水管の接続を行うためのスペースを機能部や便器部において設ける必要がある。このため、機能部や便器部に収容される各部材のレイアウトの自由度が少なくなる。更には、便器部に対する所定の固定位置に機能部を位置合わせした状態としなくても、給水管を機能部等に接続可能であることが要求される。
【０００６】
本発明は、上記に鑑みてなされたものであり、その目的は、機能部に収容される各部材のレイアウトの自由度が高められ、便器部に対する所定の固定位置に機能部を位置合わせした状態とせずに、給水管や電線等の線状部材を機能部等に接続可能とする便器装置及び当該便器装置の施工方法を提供することにある。
【課題を解決するための手段】
【０００７】
上記目的を達成するため本発明は、便器部（例えば、後述の便器部１０）と、前記便器部の後部に固定される機能部（例えば、後述の機能部３０）と、前記機能部を、前記便器部の上面に対して前記便器部の後方に向って離間するように傾斜させた仮置きの状態で支持する仮置き支持部（例えば、後述の仮置き支持部３１７）と、を備える便器装置（例えば、後述の便器装置１００）を提供する。
【０００８】
前記仮置き支持部は、前記便器部に設けられた便器部側支持部（例えば、後述の上方延出固定部３１１）と、前記機能部に設けられた機能部側支持部（例えば、後述の下方延出板部３１４）と、を有し、前記便器部側支持部の上端部と、前記機能部側支持部の下端部と、が当接した状態で前記仮置き支持部は、前記便器部に対して前記機能部を支持することが好ましい。
【０００９】
また、上記目的を達成するため本発明は、便器部（例えば、後述の便器部１０）と機能部（例えば、後述の機能部３０）とが別体で構成され、前記便器部に前記機能部が固定されて便器装置（例えば、後述の便器装置１００）が組み立てられ施工される便器装置の施工方法であって、仮置き支持部（例えば、後述の仮置き支持部３１７）によって、前記便器部の上面（例えば、後述の上面１１３）に対して前記便器部の後方に向って離間するように傾斜させた仮置きの状態で前記機能部を支持させる仮置き支持工程と、前記便器部の上面に対して前記便器部の後方に向って前記機能部を離間するように傾斜させた仮置きの状態で、前記機能部から延出する線状部材（例えば、後述のフレキホース１１５）を、前記機能部に接続する線状部材接続工程と、前記機能部を前記便器部に対する所定の位置へ移動させて配置させ、前記便器部に前記機能部を固定する固定工程と、を有し、便器装置の施工方法を提供する。
【発明の効果】
【００１０】
本発明によれば、機能部に収容される各部材のレイアウトの自由度が高められ、便器部に対する所定の固定位置に機能部を位置合わせした状態とせずに、給水管や電線等の線状部材を機能部等に接続可能とする便器装置及び当該便器装置の施工方法を提供できる。
【図面の簡単な説明】
【００１１】
【図１】本発明の一実施形態に係る便器装置１００の斜視図である。
【図２】本発明の一実施形態に係る便器装置１００の機能部３０を仮置き支持部３１７によって便器部１０に対して支持した状態を示す斜視図である。
【図３】本発明の一実施形態に係る便器装置１００の機能部３０が便器部１０に対して固定されているときの、上方延出固定部３１１と下方延出板部３１４との位置関係を示す要部断面図である。
【図４】本発明の一実施形態に係る便器装置１００の機能部３０、便蓋３０２、及び便座３０５、を示す下方斜視図である。
【発明を実施するための形態】
【００１２】
以下、本発明の便器装置１００の好ましい一実施形態について、図面を参照しながら説明する。まず、本発明の一実施形態に係る便器装置１００の全体構成について、図１〜図４を参照しながら説明する。
図１は、本発明の一実施形態に係る便器装置１００の斜視図である。図２は、本発明の一実施形態に係る便器装置１００の機能部３０を仮置き支持部３１７によって便器部１０に対して支持した状態を示す斜視図である。図３は、本発明の一実施形態に係る便器装置１００の機能部３０を便器部１０に対して固定されているときの、上方延出固定部３１１と下方延出板部３１４との位置関係を示す要部断面図である。図４は、本発明の一実施形態に係る便器装置１００の機能部３０、便蓋３０２、及び便座３０５、を示す下方斜視図である。
【００１３】
本実施形態の便器装置１００は、図１に示すように、便器部１０と、機能部３０とを備えており、外部の給水源から供給される洗浄水が、便器部１０の内部のボウル部（図示せず）に供給されるように構成されている。
【００１４】
図２に示すように、機能部３０は、支持部材としてのベースプレート３１を有している。ベースプレート３１は、便器部１０の上面１１３に固定された固定プレート１１１の上面に固定されている。これにより、機能部３０は、便器本体１１の後部上面に固定されている。ベースプレート３１には、局部洗浄装置や脱臭ユニット等の各部材が収容されている。また、機能部３０の前部は、便蓋３０２及び便座３０５（図４参照）を回動自在に軸支している。
【００１５】
電動開閉ユニット（図示せず）は、便座３０５及び便蓋３０２を開閉させる。ポンプ（図示せず）は、線状部材としてのフレキホース１１５を通して、外部の給水源である上水道から供給される水（洗浄水）を、便器部１０の内部に設けられた洗浄水タンク（図示せず）に供給する。また、ベースプレート３１の上部の全体は、後部上面カバー３０３により覆われている。また、機能部３０には、仮置き支持部３１７を構成する機能部側支持部としての下方延出板部３１４が設けられている。
【００１６】
次に、各部について詳細に説明する。以下の説明においては、機能部３０から便蓋３０２へと向う方向（図１の左下方向）を前方向とし、その反対方向を後方向とし、これらを前後方向と定義する。また、便器部１０から機能部３０へと向う方向を（図１の上方向）を上方向とし、その反対方向を下方向とし、これらを上下方向と定義する。また、機能部３０の側面であって洗浄スイッチ３０１が設けられている側から洗浄スイッチ３０１が設けられていない側へと向う方向を（図１の左上方向）を左方向とし、その反対方向を右方向とし、これらを左右方向と定義する。
【００１７】
図２に示すように、ベースプレート３１の略中央部には、上方延出固定部３１１が配置されている。上方延出固定部３１１は、複数の略角柱状の部材を一体成形したような形状を有しており、図３に示すように機能部３０が便器部１０に固定された状態では、図３には現われていないが、機能部３０の内部においてベースプレート３１を貫通し、固定プレート１１１の上面側に固定されベースプレート３１の底面よりも上方へ延びている。便器部１０に設置されたエゼクタ（図示せず）に水や洗剤を供給する、線状部材としてのホースは、円筒部材３１３に繋がれて便器部１０と機能部３０との間で接続されている。また、便器部１０に設置されたポンプ等（図示せず）を動かす、線状部材としてのハーネス等が便器部１０と機能部３０との間で接続されている。上方延出固定部３１１の上端部は、図２に示すように、下方延出板部３１４の下端部が上方延出固定部３１１の上端部に当接した状態が維持可能に、前後方向及び左右方向に所定の長さを有している。
【００１８】
また、ベースプレート３１には、下方延出板部３１４と、フレキホース接続部３１６を有する洗浄水供給バルブと、が設けられている。洗浄水供給バルブは、ベースプレート３１の下面から下方へ突出し筒状の部分を有しており、左右方向に一対設けられており、フレキホース接続部３１６は、当該筒状の部分の下端部に存在する。フレキホース接続部３１６の開口には、フレキホース１１５の一端部を挿入可能であり、フレキホース接続部３１６にフレキホース１１５が下方から挿入され固定されることにより、フレキホース１１５がフレキホース接続部３１６に接続される。フレキホース１１５は、便器部１０に通され、フレキホース１１５の他端部は、上水道に接続された止水栓（図示せず）に接続される。フレキホース１１５を通して、上水道から供給される水（洗浄水）は、機能部３０を通って、便器部１０へ供給される。
【００１９】
下方延出板部３１４は、ベースプレート３１の左右方向における下面の中央部から下方へ延出している。下方延出板部３１４の延出方向に直交する断面は、後方向へ向って開口する略コの字形状の板状を有している。下方延出板部３１４は、フレキホース接続部３１６よりも下方へ突出する程度の下方への突出量を有している。これにより、下方延出板部３１４を下側に位置させて、機能部３０を、床等の平坦な場所へ載置した場合であっても、フレキホース接続部３１６が床等に接触することを防止する。また、左右方向において、下方延出板部３１４の幅は、上方延出固定部３１１の上端部の幅と同程度の長さを有している。このような構成の下方延出板部３１４と上方延出固定部３１１とにより、図２に示すように、略コの字形状を有する下方延出板部３１４の中央の直線状の壁部の下端部を、前後方向及び左右方向に所定の長さを有する上方延出固定部３１１の上端部に当接させることにより、下方延出板部３１４の下端部を上方延出固定部３１１の上端部に当接させた状態としたときに、下方延出板部３１４が上方延出固定部３１１の後方へ滑り落ちず、この当接した状態を維持可能である。そして、このように当接した状態で、機能部３０の前端部３０７が便器部１０の上端面に当接して、下方延出板部３１４と上方延出固定部３１１とは、機能部３０を、便器部１０の上面１１３に対して便器部１０の後方に向って離間するように傾斜させた仮置きの状態で支持可能である。この状態で機能部３０が便器部１０により支持されているときには、便器装置１００の後方に向って開口する空間が、便器部１０と機能部３０との間に形成されている。便器装置１００の施工後において、機能部３０が便器部１０に固定された状態では、下方延出板部３１４は、図３に示すように、上方延出固定部３１１の後方に形成されている便器部１０の空間に、上方から挿入された状態で収容されている。
【００２０】
以上の構成を備える本実施形態に係る便器装置１００の施工方法について説明する。
先ず、便器部１０と機能部３０とが、別体として組立工場において製造されて構成され、その後、便器装置１００が設置される家屋の現場に、それぞれ別々に搬送される。
【００２１】
次に、仮置き支持工程が行われる。仮置き支持工程では、便器部１０の上面１１３に、機能部３０等を梱包していた梱包材等のクッション材１１６が、便器部１０の上面１１３にキズ等がつくことを防止するために敷かれ、その上に機能部３０、便蓋３０２、及び、便座３０５が載置される。そして仮置き支持部３１７によって、便器部１０の上面１１３に対して便器部１０の後方に向って離間するように傾斜させた仮置きの状態で機能部３０を支持させる。具体的には、図２に示すように、下方延出板部３１４の下端部を上方延出固定部３１１の上端部に当接した状態とし、この状態を維持する。
【００２２】
次に、便器部１０に設けられ機能部３０からの流体を便器部１０において流通させる線状部材としてのフレキホース１１５を、機能部３０に接続する線状部材接続工程を行う。線状部材接続工程では、具体的には、図２に示すように、便器部１０の上面１１３に対して便器部１０の後方に向って離間するように傾斜させた仮置きの状態で、便器本体１１の開口１３１を通して、フレキホース１１５の一端部を、図２の左下方から右上方へ向って、略コの字形状を有する下方延出板部３１４の両側の側壁に沿ってガイドさせて移動させてゆき、機能部３０のフレキホース接続部３１６に挿入して接続する。また、機能部３０と便器部１０との間において、線状部材としての電線（図示せず）等を電気的に接続し、電気的な配線が接続された状態とする。このとき、機能部３０は、仮置き支持部３１７によって、便器部１０の上面１１３に対して離間するように傾斜させられた仮置きの状態で支持させられているため、離間する便器部１０と機能部３０との間に手が挿入されて、フレキホース１１５等の接続の作業が容易に行われる。
【００２３】
フレキホース１１５等の接続の作業が完了した後には、仮置き支持部３１７によって機能部３０を便器部１０に対してガイドして、機能部３０を便器部１０に対する所定の位置へ移動させて配置させ、便器部１０に機能部３０を固定する固定工程を行う。具体的には、下方延出板部３１４の広い背面（略コの字の中央の部分の壁面）を上方延出固定部３１１の上端の後端に対して摺動させることにより、上方延出固定部３１１によって下方延出板部３１４をガイドして、機能部３０を便器部１０へ接近させてゆき、機能部３０を便器部１０へ当接させる。そして、機能部３０を便器部１０に対する所定の固定位置へ配置させて、便器部１０に対して固定する。そして、便器部１０に設置されたエゼクタ（図示せず）に水や洗剤を供給する、線状部材としてのホースを、円筒部材３１３に繋ぐ。以上の工程により、便器装置１００が組み立てられ施工される。
【００２４】
上記構成の実施形態による便器装置１００によれば、以下のような効果を得ることができる。
便器装置１００は、便器部１０と、便器部１０の後部に固定される機能部３０と、機能部３０を、便器部１０の上面１１３に対して前記便器部１０の後方に向って離間するように傾斜させた仮置きの状態で支持する仮置き支持部３１７と、を備える。
【００２５】
この構成により、便器部１０から離間するように傾斜させた仮置きの状態で支持された機能部３０と便器部１０との間において、フレキホース１１５や電線等を便器部１０側から機能部３０側へ接続する作業を容易に行うことができる。このため、便器部１０に対する所定の固定位置に機能部３０を位置合わせした状態としなくても、フレキホース１１５や電線を機能部３０等に容易に接続することができる。従って、便器部１０と機能部３０とが、別体として組立工場において製造された後に、便器装置１００が設置される家屋の現場にそれぞれ搬送され、当該現場において、便器部１０に機能部３０が固定されて施工される場合に、便器部１０へ洗浄水を供給可能な状態となるように、フレキホース１１５が、便器部１０から機能部３０側へと接続される接続作業を、容易に行うことができる。特に、機能部３０が前記装置１００の後部に位置している場合には、施工の際に機能部３０の背後に壁等が存在する場合が多いが、このような場合に、フレキホース１１５や電線が便器部１０から機能部３０側へと接続される接続作業を、目視しやすい状態とすることができ、接続作業を容易とすることができる。
【００２６】
また、便器部１０に対する所定の固定位置に機能部３０を位置合わせした状態で、フレキホース１１５や電線を機能部３０等に容易に接続することができるため、従来のように、便器部１０に対する所定の固定位置に機能部３０を位置合わせした状態のときに、作業者が便器部側から手を挿入して、フレキホース１１５や電線を機能部３０の一部に接続するためのスペースを、便器部１０や機能部３０において確保せずに済む。この結果、機能部３０や便器部１０に収容される各部材のレイアウトの自由度を高めることができる。これにより、便器装置１００の内部において、施工に必要なスペースを削減することが容易となり、便器装置１００全体のダウンサイジングを図ることができる。特に、全周陶器で構成された便器本体１１のように、加工スペースが少ない場合には、施工のためのスペースを考慮してレイアウトの自由度が低くなることを抑えることができる。
【００２７】
また、仮置き支持部３１７は、便器部１０に設けられた便器部側支持部としての上方延出固定部３１１と、機能部３０に設けられた機能部側支持部としての下方延出板部３１４と、を有する。便器部側支持部の上端部と、機能部側支持部の下端部と、が当接した状態で仮置き支持部３１７は、便器部１０に対して機能部３０を支持する。
【００２８】
この構成により、機能部３０が便器部１０に対してより高い位置となるように、便器部１０から機能部３０をより離間させることができる。これにより、作業者が行う便器部１０側のフレキホース１１５や電線を機能部３０等に接続する作業を、極めて容易とすることができる。
【００２９】
また、便器部１０と機能部３０とが別体で構成され、便器部１０に機能部３０が固定されて便器装置１００が組み立てられ施工される便器装置の施工方法は、仮置き支持部３１７によって、便器部１０の上面１１３に対して離間するように傾斜させた仮置きの状態で機能部３０を支持させる仮置き支持工程と、便器部１０の上面に対して機能部３０を離間するように傾斜させた仮置きの状態で、便器部１０から延出する線状部材としてのフレキホース１１５や電線を、機能部３０に接続する線状部材接続工程と、機能部３０を便器部１０に対する所定の位置へ移動させて配置させ、便器部１０に機能部３０を固定する固定工程と、を有する。この構成により、仮置き支持工程において、線状部材接続工程における、線状部材としてのフレキホース１１５や電線を機能部３０に接続する作業を行うことができるため、この接続の作業を容易とすることができる。
【００３０】
本発明は上記実施形態に限定されるものではなく、本発明の目的を達成できる範囲での変形、改良等は本発明に含まれる。
【００３１】
例えば、便器装置の各部の構成は、本実施形態における各部の構成に限定されない。例えば、本実施形態では、仮置き支持部３１７は、便器部１０に設けられた便器部側支持部としての上方延出固定部３１１と、機能部３０に設けられた機能部側支持部としての下方延出板部３１４と、を有していたが、この構成に限定されない。例えば、仮置き支持部は、便器部１０にのみ設けられていてもよく、又は、機能部３０にのみ設けられていてもよい。即ち、仮置き支持部は、機能部３０を、便器部の上面１１３に対して離間するように傾斜させた仮置きの状態で支持するように構成されていればよい。
【符号の説明】
【００３２】
１０…便器部
３０…機能部
１１３…上面
１１５…フレキホース
３１７…仮置き支持部
３１１…上方延出固定部（便器部側支持部）
３１４…下方延出板部（機能部側支持部）
【図１】
0006698307.tif 000002
【図２】
0006698307.tif 000003
【図３】
0006698307.tif 000004
【図４】
0006698307.tif 000005